(57)【要約】【課題】発音具を安定した状態で取付対象物に取り付けること。【解決手段】本発明の発音具の取付治具１０は、超磁歪アクチュエータを備えると共に、上端部に椀状もしくは半球状に膨らんだ曲面部を有する発音具の取付治具１０であって、曲面部と接触する支持部を有し、当該支持部を曲面部と接触させて、発音具５０を取付対象物１２に対して保持する保持部２０と、保持部２０を取付対象物１２に着脱可能に固着させる固着部３８と、保持部２０を取付対象物１２側に押圧させると共に、この押圧に伴って発音具５０を取付対象物１２に対して押圧固定するロック部４５とを有する。【選択図】図１
2009130408.tif 000002
【特許請求の範囲】
【請求項１】
超磁歪アクチュエータを備えると共に、上端部に椀状もしくは半球状に膨らんだ曲面部を有する発音具の取付治具であって、
上記曲面部と接触する支持部を有し、当該支持部を上記曲面部と接触させて、上記発音具を取付対象物に対して保持する保持部と、
上記保持部を上記取付対象物に着脱可能に固着させる固着部と、
上記保持部を取付対象物側に押圧させると共に、この押圧に伴って上記発音具を上記取付対象物に対して押圧固定するロック部と、
を有することを特徴とする発音具の取付治具。
【請求項２】
前記支持部は、弾性体からなることを特徴とする請求項１記載の発音具の取付治具。
【請求項３】
前記ロック部によって前記保持部を押圧すると、前記支持部が前記曲面部を取付対象物側に押圧することを特徴とする請求項１または２記載の発音具の取付治具。
【請求項４】
前記固着部は、真空吸引可能な吸着部材を有することを特徴とする請求項１から３のいずれか１項記載の発音具の取付治具。
【請求項５】
前記固着部は、磁性部材からなることを特徴とする請求項１から３のいずれか１項記載の発音具の取付治具。
【請求項６】
前記ロック部は、前記保持部を押圧するための押圧部と、上記押圧部によって押圧された前記保持部を受け止めるための基台部と、を有することを特徴とする請求項１から５のいずれか１項記載の発音具の取付治具。
【請求項７】
前記押圧部は、ネジ穴が設けられたキャップまたはナットの形態を有すると共に、前記基台部は上方に延出する延出部を有し、かつ上記延出部には上記ネジ穴に螺入可能なネジ溝が設けられ、上記延出部を前記保持部に設けられた挿通孔に挿通させて、前記押圧部の上記ネジ穴に前記延出部を螺入させて前記保持部を押圧させることを特徴とする請求項６記載の発音具の取付治具。
【請求項８】
前記押圧部は、引き上げおよび押し下げ可能なレバーの形態を有すると共に、前記押圧部には、上記レバーの引き上げもしくは押し下げに伴って、前記保持部を押圧する押込部が設けられていることを特徴とする請求項６記載の発音具の取付治具。
【請求項９】
前記保持部は、前記発音体が内部に納まる貫通孔を有する平板状の平板部を備えることを特徴とする請求項１から８のいずれか１項記載の発音具の取付治具。
【請求項１０】
請求項１から９のいずれか１項に記載の発音具の取付治具と、
超磁歪素子と、
上記超磁歪素子に磁界を印加する磁石と、
上記超磁歪素子に磁界変化を与えるコイルと、
上記超磁歪素子、磁石およびコイルを収納するケースと、
その一端が上記超磁歪素子と連結され、その他端が上記ケースから突出する可動ロッドと、
を有する超磁歪アクチュエータを備えると共に、上端部に椀状もしくは半球状に膨らんだ曲面部を有する発音具と、
を有することを特徴とする取付治具を備えた発音具。
【発明の詳細な説明】
【技術分野】
【０００１】
本発明は、超磁歪素子を備える発音具の取付治具および取付治具を備えた発音具に関する。
【背景技術】
【０００２】
従来から、スピーカ等の音響機器では、音声出力を得るために超磁歪素子が用いられている。超磁歪素子は、磁界の強さに応じて寸法が変化するという特性を有しており、この特性を利用して音声が出力される。近年、超磁歪素子を利用した高速、大変位かつ高パワーの超磁歪アクチュエータが注目されている。特許文献１には、超磁歪アクチュエータで振動板を駆動させて音声出力を得る発音具が開示されている。
【０００３】
特許文献１に開示されている発音具では、超磁歪アクチュエータを覆う保持部材に吸盤等の固定部材を設けて、当該発音具を取付対象物に固定させている。
【０００４】
【特許文献１】特開２００７−８１８３８号公報（要約書、図２）
【発明の開示】
【発明が解決しようとする課題】
【０００５】
しかしながら、特許文献１に開示されている発音具では、吸盤等の固定部材を設けることで、取付対象物への取り付けを可能としているため、単純な方法によって発音具を取付対象物に取り付けることができるが、発音具に何らかの外力が加わった場合、取付状態が不安定となる。したがって、取付状態の安定化を図るための改善が要求される。
【０００６】
本発明は、かかる問題に鑑みてなされたものであり、その目的とするところは、発音具を安定した状態で取り付けることが可能な発音具の取付治具および取付治具を備えた発音具を提供しようとするものである。
【課題を解決するための手段】
【０００７】
上記課題を解決するために、本発明は、超磁歪アクチュエータを備えると共に、上端部に椀状もしくは半球状に膨らんだ曲面部を有する発音具の取付治具であって、曲面部と接触する支持部を有し、当該支持部を曲面部と接触させて、発音具を取付対象物に対して保持する保持部と、保持部を取付対象物に着脱可能に固着させる固着部と、保持部を取付対象物側に押圧させると共に、この押圧に伴って発音具を取付対象物に対して押圧固定するロック部とを有するものである。
【０００８】
このように構成した場合には、保持部によって発音具を所定の位置に保持した状態で、発音具を取付対象物に固定することが可能となる。また、支持部が曲面状の曲面部と接触するため、支持部と曲面部とは面接触でなく点接触する。したがって、発音具に加えられる力の方向が取付対象物の取付面と直角する方向とずれていても、支持部が直角方向からずれた方向に働く力を吸収する。そのため、取付治具によって固定される発音具が取付面に対して傾くことがなくなる。その結果、発音具を安定した状態で取付対象物に対して固定でき、発音具における超磁歪素子の振動を取付対象物に正確に伝達することが可能となる。また、固着部が取付対象物に対して着脱可能であるため、容易に取付位置を変更できる。
【０００９】
また、他の発明は、上述の発明に加えて更に、支持部は弾性体からなるものである。このように構成した場合には、曲面部における支持部の接触面積を大きくできるため、発音具をより安定した状態で、かつ強固に固定することが可能となる。
【００１０】
また、他の発明は、上述の発明に加えて更に、ロック部によって保持部を押圧すると、支持部が曲面部を取付対象物側に押圧するものである。このように構成した場合には、ロック部によって保持部を押圧することで、発音具を取付対象物に対して固定できる。
【００１１】
また、他の発明は、上述の発明に加えて更に、固着部は真空吸引可能な吸着部材を有するものである。このように構成した場合には、取付対象物が平面を有する場合、取付治具を着脱させることが可能となる。
【００１２】
また、他の発明は、上述の発明に加えて更に、固着部は磁性部材からなるものである。このように構成した場合には、取付対象物が磁性部材等の場合、磁力を利用して取付治具を着脱させることが可能となる。
【００１３】
さらに、他の発明は、上述の発明に加えて更に、ロック部は、保持部を押圧するための押圧部と、押圧部によって押圧された保持部を受け止めるための基台部とを有するものである。このように構成した場合には、押圧部と基台部との間に保持部が狭持されるため、押圧された保持部の状態が安定する。したがって、発音具を取付対象物に対して強固にかつ安定した状態で固定することが可能となる。
【００１４】
さらに、他の発明は、上述の発明に加えて更に、押圧部は、ネジ穴が設けられたキャップまたはナットの形態を有すると共に、基台部は上方に延出する延出部を有し、かつ延出部にはネジ穴に螺入可能なネジ溝が設けられ、延出部を保持部に設けられた挿通孔に挿通させて、押圧部のネジ穴に延出部を螺入させて保持部を押圧させるものである。このように構成した場合には、押圧部を延出部に螺入させていくことにより、発音具を取付対象物に固定することが可能となる。
【００１５】
さらに、他の発明は、上述の発明に加えて更に、押圧部は、引き上げおよび押し下げ可能なレバーの形態を有すると共に、押圧部には、レバーの引き上げもしくは押し下げに伴って、保持部を押圧する押込部が設けられているものである。このように構成した場合には、ロック部のレバーを引き上げもしくは押し下げることによって、発音具を取付対象物に固定することが可能となる。
【００１６】
さらに、他の発明は、上述の発明に加えて更に、保持部は、発音体が内部に納まる貫通孔を有する平板状の平板部を備えるものである。このように構成した場合には、平板部によって、発音具の位置決めを行うことが可能となる。また、発音具を固定した状態で、当該発音具が位置ずれするのを防止できる。
【００１７】
また、本発明の取付治具を備えた発音具は、発音具の取付治具と、超磁歪素子と、超磁歪素子に磁界を印加する磁石と、超磁歪素子に磁界変化を与えるコイルと、超磁歪素子、磁石およびコイルを収納するケースと、その一端が超磁歪素子と連結され、その他端がケースから突出する可動ロッドとを有する超磁歪アクチュエータを備えると共に、上端部に椀状もしくは半球状に膨らんだ曲面部を有する発音具とを有するものである。このように構成した場合には、発音具を取付対象物に対して固定することが可能となる。
【発明の効果】
【００１８】
本発明によると、発音具を安定した状態で取付対象物に取り付けることが可能となる。
【発明を実施するための最良の形態】
【００１９】
（第１の実施の形態）
以下、本発明の第１の実施の形態に係る発音具の取付治具１０（以下、単に取付治具１０と称呼する。）について、図面を参照しながら説明する。なお、以下の説明（各実施の形態に共通）において、図１〜図７に示す矢示Ｘ１方向を左、矢示Ｘ２方向を右、矢示Ｙ１方向を前、矢示Ｙ２方向を後、矢示Ｚ１方向を上および矢示Ｚ２方向を下とそれぞれ規定する。
【００２０】
図１は、本発明の第１の実施の形態に係る取付治具１０によって発音具５０を取り付けた状態を示す斜視図である。図２は、本発明の第１の実施の形態に係る取付治具１０によって発音具５０を取り付けた状態を示す側面図である。図３は、本発明の第１の実施の形態に係る取付治具１０によって発音具５０を取り付けた状態における取付治具１０の側断面図である。
【００２１】
図１から図３に示すように、取付治具１０は、発音具５０を、例えば、取付対象物となるテーブル１２に取り付けるための治具である。なお、発音具５０の取付対象物は、テーブル１２に限定されるものではなく、テーブル１２以外にもガラスや壁等の他の取付対象物に取り付けることも可能である。取付治具１０は、保持部２０と、固着部となる吸盤３８と、ロック部４５と、から主に構成されている。
【００２２】
保持部２０は、平板部となる平板状の固定上板２２と、固定上板２２の下側に配置される平板部となる平板状の固定下板２４と、固定上板２２上に立設される３本の円柱状の支柱２６と、支柱２６の上端に配置される上基板２８と、上基板２８の下面側に取り付けられる弾性体となる固定用弾性体３０（図２および図３参照）と、固定下板２４の右端部の下面側に取り付けられる支点用弾性体３２とから主に構成されている。
【００２３】
固定上板２２は、略矩形状の形態を有しており、その左側の端面は半円形状を呈している。また、固定上板２２の左方には半円形状の端面に沿うように該半円形の端面の径より小径となる略円形の貫通孔３４が設けられている。また、固定上板２２における右方の領域には、略矩形状の矩形孔３６が設けられている（図３参照）。固定上板２２の材料としては、アクリル樹脂、ポリカーボネートもしくはＡＢＳ樹脂等の透明な樹脂が挙げられるが、固定上板２２の材料はこれらの樹脂に限定されるものではない。
【００２４】
固定下板２４は、左右方向において固定上板２２と略同一の寸法を有する平板である。当該固定下板２４は、固定上板２２の下面側に、固定下板２４に対して右側にずれるように配置されている。固定下板２４の左端には貫通孔３４の後方側半分の半円形状と略同一の形状で開口する開口部２４ａが設けられている。また、固定下板２４には、図３に示すように、大径孔２４ｂが設けられている。大径孔２４ｂは、固定上板２２の矩形孔３６の中心軸線を中心軸とするものの、矩形孔３６より大径に形成されている。固定下板２４の材料としては、固定上板２２と同様のものを採用することが可能である。
【００２５】
固定上板２２における貫通孔３４の前後および右側の３箇所には略円柱形状の支柱２６が立設されている。支柱２６は、円柱状の本支柱２６ａと、その両端から上下方向に向かって突出する突起２６ｂとを有している。突起２６ｂは、本支柱２６ａの径より小径の円柱形状を呈している。この突起２６ｂの一端を固定上板２２に設けられる小径孔２２ｂに差し込むことにより、支柱２６は固定上板２２に対して固定されている。また、支柱２６の上方には上基板２８が取り付けられている。上基板２８は、略半月状の形態を有しており、その左端面における前後方向略中央には左方に向かって曲面状に膨らんだ曲状部２８ａが形成されている。また、上基板２８には円形の円孔２８ｂが設けられている（図３参照）。円孔２８ｂは、その下側部分が上側部分より大径に形成されている。当該円孔２８ｂに支柱２６の他端側の突起２６ｂおよび本支柱２６ａの一部を差し込むことにより、上基板２８に対して支柱２６が固定されている。上基板２８の材料としては、固定上板２２と同様のものを採用することが可能である。
【００２６】
図３に示すように、上基板２８の下面側において曲状部２８ａを含む領域には、支持部となる円盤状の固定用弾性体３０が固定されている。固定用弾性体３０は、例えば、シリコーンゴムから形成されている。しかし、固定用弾性体３０の材料として、他の弾性体を採用しても良い。また、固定下板２４の右端部近傍の下面には支点用弾性体３２が固定されている。支点用弾性体３２は、直方体形状を呈している。支点用弾性体３２の材料としては、固定用弾性体３０と同様に、例えば、シリコーンゴムを採用することが可能である。
【００２７】
図３に示すように、固定下板２４の大径孔２４ｂの内部からその裏側に至るように、吸盤３８が配置されている。吸盤３８は、略円錐状の形態を有する円錐部３８ａと、該円錐部３８ａの底部近傍の外側に全周に亘って設けられる外周部３８ｂとを有する。円錐部３８ａは大径孔２４ｂの内部に収まっており、外周部３８ｂは固定下板２４の裏側に位置している。大径孔２４ｂの上方は固定上板２２によって塞がれているものの、円錐部３８ａは略円錐状の形態を有しているため、固定上板２２と吸盤３８とは密着せず、両者の間には空間３９が形成されている（図３参照）。円錐部３８ａの中央には上方から下方に向かって徐々に幅が広くなるような幅広孔３８ｃが設けられている（図３参照）。吸盤３８の材料としては、シリコーンゴム等の吸着力を有する弾性体を好適に使用することができる。
【００２８】
ロック部４５は、基台部となる支柱４６と押圧部となるレバー４７とから構成されている。図３に示すように、支柱４６の下端部近傍には、下方に向かうにつれて面積が徐々に大きくなる台部４６ｂが設けられている。また、支柱４６の上方には前後に貫通する円形のピン孔４６ａが形成されている。支柱４６の台部４６ｂは、円錐部３８ａの幅広孔３８ｃの内部に収まっている。台部４６ｂが、幅広孔３８ｃに収まることで、支柱４６の吸盤３８からの上方への抜けが防止される。
【００２９】
図１から図３に示すように、レバー４７は、回動部４７ａと、取手部４７ｂを有している。回動部４７ａには、左側から右側に向かって切り欠かれた溝部４７ｃが形成されている。溝部４７ｃの厚さは支柱４６の前後方向の厚さよりやや大きめに形成されている。回動部４７ａには、溝部４７ｃを隔てて前後に貫通する貫通孔４７ｄが設けられている。貫通孔４７ｄは回動部４７ａの中央より上方の位置に設けられている。
【００３０】
取手部４７ｂは、右側に向かうにつれて厚さが徐々に小さくなるように形成されている。溝部４７ｃの内部に支柱４６を配置させ、回動部４７ａの貫通孔４７ｄおよび支柱４６のピン孔４６ａに円柱状のピン４８を挿入することによって、レバー４７が支柱４６に対して回動可能に支持されている。レバー４７の回転中心となるピン４８からのレバー４７における下端面４７ｅ（図１参照）までの距離は左端面４７ｆまでの距離よりも大きくなっている。したがって、レバー４７を押し下げると、押込部となる下端面４７ｅによって固定上板２２が下方に押圧され、レバー４７を引き上げると固定上板２２が下方への押圧から解放される構成となっている。
【００３１】
次に、発音具５０の構成について説明する。
【００３２】
図４は、発音具５０の側断面図である。
【００３３】
発音具５０は、取付治具１０によって、取付対象物となるテーブル１２に着脱自在に取り付けられる。発音具５０には、不図示のバッテリー駆動アンプが接続されており、このバッテリー駆動アンプには、音源（例えば、不図示のＰＤＡ等）が接続されている。不図示のバッテリー駆動アンプは、バッテリーの機能を備えたアンプであり、音源である不図示のＰＤＡ等から入力された音声を大きく調整する。
【００３４】
発音具５０は、超磁歪アクチュエータ７０と、超磁歪アクチュエータ７０の外側を覆うケース体５４と、振動板６５と、から主に構成されている。ケース体５４は、略円錐形状を呈しており、その頂部には上方に突出する突出部５６が設けられている。突出部５６の上端部５６ａは半球状の形態を有している。また、ケース体５４の下方は開口している。ケース体５４には、底面側に開口する開口空間部５８および小空間部６０の２つの空間部が設けられている。開口空間部５８と小空間部６０との間は仕切部６２によって仕切られている。超磁歪アクチュエータ７０は、開口空間部５８の内側に配置されている。そして、仕切部６２と超磁歪アクチュエータ７０との間に、弾性材としてのゴム材６４が介在している。超磁歪アクチュエータ７０は、螺子６６によって、ケース体５４内に固定されている。螺子６６は、仕切部６２上から仕切部６２およびゴム材６４を貫通し、超磁歪アクチュエータ７０の上端部に螺入されている。後述する超磁歪アクチュエータ７０から下方に向かって突出する可動ロッド７９の先端には振動板６５が取り付けられている。振動板６５は、ケース体５４の開口面６７よりも下方に突出している。このため、振動板６５を下方に向けた状態で発音具５０をテーブル１２上に配置した場合、振動板６５とテーブル１２は確実に接触する。したがって、超磁歪アクチュエータ７０の振動はテーブル１２に確実に伝達される。
【００３５】
発音具５０では、仕切部６２と超磁歪アクチュエータ７０との間にゴム材６４が設けられている。このため、超磁歪アクチュエータ７０の振動が音の伝達対象物であるテーブル１２にのみ伝わりやすくなっている。したがって、発音具５０から外部への音漏れを防止することができる。
【００３６】
次に、超磁歪アクチュエータ７０の構成について説明する。
【００３７】
図５は、図４中の発音具５０に使用される超磁歪アクチュエータ７０の側断面図である。
【００３８】
超磁歪アクチュエータ７０は、超磁歪素子７２と、超磁歪素子７２に磁界変化を与えるコイル７４と、超磁歪素子７２に圧縮荷重を加えるばね７５と、超磁歪素子７２にバイアス磁界を印加する磁石（マグネット）７６，７７とがケース７８内に収納されている。超磁歪素子７２の基端（上端）はケース７８内に位置決めされ、自由端（下端）には可動ロッド７９が連結され、その可動ロッド７９とケース７８（蓋８０）との間にばね７５が配置されている。そして、ケース７８、可動ロッド７９およびばね７５は、例えば、鉄もしくはフェライト等の磁性材料で形成されている。
【００３９】
ケース７８は、下端が開口した有底筒状のケース本体７８ａと、そのケース本体７８ａの開口部を閉じる蓋８０とを備えている。ばね７５は本実施の形態では皿ばねとなっている（以下の説明において、ばね７５を皿ばね７５と称呼する。）。そして、可動ロッド７９の先端はこの皿ばね７５および蓋８０の中心軸線上に設けられた穴７５ａ，８０ｂをそれぞれ貫通して外部に突出している。皿ばね７５の周縁部は蓋８０の内面に密接して蓋８０の穴８０ｂをケース７８内から覆っている。
【００４０】
蓋８０の内面には皿ばね７５の周縁部を嵌め込んで位置決めする皿ばね用凹部（第１凹部）８０ａが設けられている。この第１凹部８０ａにより、皿ばね７５自体を確実に位置決め可能となる。さらに、皿ばね７５の中心部を貫通する可動ロッド７９も皿ばね７５によって位置決め（芯出し）可能となる。可動ロッド７９のフランジ７９ｂは、段部７９ｃを有する二段構成となっている。この段部７９ｃに皿ばね７５の中心部の穴７５ａを嵌合させることにより、密着構造となる。
【００４１】
超磁歪素子７２にバイアス磁界を印加する磁石７６，７７は、超磁歪素子７２の基端および自由端にそれぞれ配置されている。可動ロッド７９の基端部には、超磁歪素子７２の自由端とその自由端に配置された磁石７６とを嵌め込んで位置決めする連結用凹部（第２凹部）７９ａが設けられている。この可動ロッド７９の基端部には、その基端部を大径にするためのフランジ７９ｂが設けられている。第２凹部７９ａは下向きに窪む凹部として形成されている。この第２凹部７９ａの深さは、磁石７６の厚さよりも深く形成されている。これにより、第２凹部７９ａ内には磁石７６が収容され、さらに超磁歪素子７２の自由端も挿入されている。
【００４２】
かかる第２凹部７９ａによって、超磁歪素子７２の自由端とその自由端に配置された磁石７６との両方を可動ロッド７９に対して同軸に位置決め可能となる。すなわち、超磁歪素子７２の自由端とその自由端に配置された磁石７６と可動ロッド７９の基端部とが位置ずれしないように高精度に芯出しして連結可能となる。
【００４３】
ケース本体７８ａの上面部７８ｂには、超磁歪素子７２の基端部と、その基端部に配置された磁石７７とを嵌め込んで位置決めする、第２凹部７９ａと同様の位置決め用凹部（第３凹部）７８ｃが設けられている。この第３凹部７８ｃは上向きに窪む凹部として形成されている。この第３凹部７８ｃの深さは、磁石７７の厚さよりも深く形成されている。これにより、第３凹部７８ｃ内には磁石７７が収容され、さらに超磁歪素子７２の基端部も挿入されている。
【００４４】
かかる第３凹部７８ｃによって、超磁歪素子７２の基端部とその基端部に配置された磁石７７との両方をケース本体７８ａの上面部７８ｂに対して同軸に位置決め可能となる。すなわち、超磁歪素子７２の基端とその基端に配置された磁石７７とがケース本体７８ａの上面部７８ｂから位置ずれしないように高精度に芯出しして位置決め可能となる。
【００４５】
ケース本体７８ａの上面部７８ｂには、コイル７４のボビン８１の一部を嵌め込んで固定するボビン用凹部（第４凹部）７８ｄが設けられている。ボビン８１は、超磁歪素子７２が貫通する円筒部と、その両端に設けられた円板状フランジを有している。従って、第４凹部７８ｄの平面形状はこのボビン８１の端面の形状に対応する、いわゆるドーナツ状の凹部として形成されている。この第４凹部７８ｄを設けたのは、コイル７４のボビン８１をケース本体７８ａの上面部７８ｂに対して確実に位置決めして、超磁歪素子７２とボビン８１との間の隙間を高精度にかつ微少隙間に設定可能にするためである。なお、上面部７８ｂの中央部分には円筒状のリブが立ち上げられており、このリブによって前記第３凹部７８ｃおよび第４凹部７８ｄが形成されている。
【００４６】
本実施の形態では、ケース７８、可動ロッド７９および皿ばね７５が磁性材料で形成されているので、超磁歪素子７２の両端に配置してあるバイアス磁界印加用の磁石７６，７７による磁界は、図５における矢示で示す方向に働く。すなわち、可動ロッド７９、皿ばね７５およびケース７８を経由する完全磁気回路（閉ループ）を構成する。これにより、超磁歪アクチュエータ７０の高効率化を実現することができる。この結果、バッテリー駆動も実現できるので、この超磁歪アクチュエータ７０を、例えば、モバイル商品等へ組み込むことも可能となる。さらに、このように高効率化を図ることで、その分、小型化を図ることが可能となる。
【００４７】
次に、取付治具１０による発音具５０の取付方法について説明する。
【００４８】
まず、発音具５０をテーブル１２の所定の位置に配置する。そして、固定上板２２の貫通孔３４の内側に発音具５０が収まるように、取付治具１０をテーブル１２上に配置する。この際、レバー４７を引き上げた状態に維持し、かつ固定用弾性体３０が発音具５０の上端部５６ａと接触するようにする。次に、固定上板２２をテーブル１２に対して押圧し、吸盤３８をテーブル１２に吸着させる。
【００４９】
次に、レバー４７を、図２において破線で示す状態から実線で示す状態に変化するように、時計回り（矢示Ａ方向）に回動させる。ここで、図３に示すように、レバー４７は、ピン４８を介して支柱４６および吸盤３８に連結されているが、支柱４６および吸盤３８には、テーブル１２に対する高さ変化がさほど生じない。また、ピン４８から左端面４７ｆまでの距離よりもピン４８から下端面４７ｅまでの距離の方が大きい。そのため、レバー４７を図２において時計回りに回動させると、固定上板２２および固定下板２４がテーブル１２側に押し下げられる。具体的には、レバー４７を時計回りに回動させると、図３に示す支柱４６が上方に引き上げられる。支柱４６が引き上げられると、その引き上げに伴い円錐部３８ａも上方に引き上げられる。そして、吸盤３８とテーブル１２の間が真空状態となると共に、その真空による大気圧が支柱４６、レバー４７、固定上板２２および固定下板２４に伝わり、固定上板２２および固定下板２４を押し下げる力として作用する。その結果、固定上板２２および固定下板２４がテーブル１２側に押し下げられる。
【００５０】
また、固定用弾性体３０は、上基板２８および支柱２６を介して固定上板２２に連結されているため、固定上板２２を押し下げた力は固定用弾性体３０にも伝わり、発音具５０は固定用弾性体３０によって下方に押圧される。すなわち、レバー４７を矢示Ａの向きに回動させると、取付治具１０は、支点用弾性体３２を支点として、反時計回りに回動させられる。このとき、支点用弾性体３２にも押圧力が作用するが、当該支点用弾性体３２を支点として、固定用弾性体３０も反時計回りに回動させられる。そのため、レバー４７を矢示Ａの向きに回動させると、固定用弾性体３０から上端部５６ａとが接触し、さらにレバー４７を矢示Ａに回動させると、固定用弾性体３０が上端部５６ａを強固に押し下げる状態となる。以上のようにして、発音具５０は、取付治具１０によって安定した状態でテーブル１２に取り付けられる。
【００５１】
以上のように構成された取付治具１０によって発音具５０を取り付ける場合、保持部２０によって発音具５０をテーブル１２の所定の位置に保持した状態で、レバー４７を押し下げることにより、当該発音具５０をテーブル１２に対して固定することが可能となる。また、上端部５６ａは半球状の形態を有しているため、固定用弾性体３０と上端部５６ａとは面接触でなく点接触する。そのため、発音具５０に加えられる力の方向がＺ２方向とずれていても、前後方向および左右方向に向かう力は、固定用弾性体３０が吸収する。したがって、発音具５０がテーブル１２に対して傾くのを防止できる。その結果、発音具５０を安定した状態でテーブル１２に取り付けることができ、発音具５０における超磁歪素子７２の振動をテーブル１２に正確に伝達することが可能となる。また、発音具５０は、上端部５６ａにおいて固定用弾性体３０と接触しているため、接触面積が大きくなる。そのため、発音具５０をより安定した状態で、かつ強固にテーブル１２に取り付けることが可能となる。また、吸盤３８はテーブル１２に対して着脱可能であるため、容易に発音具５０の取付位置を変更できる。
【００５２】
また、取付治具１０によって発音具５０を取り付ける場合、レバー４７を、図２において矢示Ａの向きに押し下げると、レバー４７と吸盤３８との間に固定上板２２が狭持されるため、当該固定上板２２を吸盤３８側に押さえ付けながら、発音具５０をテーブル１２に対して確実に固定することが可能となる。
【００５３】
（第２の実施の形態）
以下、本発明の第２の実施の形態に係る発音具の取付治具９０（以下、単に取付治具９０と称呼する。）について、図面を参照しながら説明する。なお、第２の実施の形態に係る取付治具９０において、第１の実施の形態と共通する事項については、同一の符号を付すと共に、その説明を省略または簡略化する。
【００５４】
図６は、本発明の第２の実施の形態に係る取付治具９０によって発音具１００を取り付けた状態を示す斜視図である。図７は、本発明の第２の実施の形態に係る取付治具９０によって発音具１００を取り付けた状態における取付治具９０の側断面図である。
【００５５】
本発明の第２の実施の形態に係る取付治具９０は、主に、本発明の第１の実施の形態に係る取付治具１０とロック部９１の構成が相違する。ロック部９１は、基台部９２と押圧部となる締め部９３とから構成されている。図７に示すように、基台部９２は、円板状の台部９２ａと、その中央から上方に向かって延出する円柱状の延出部９２ｂとから構成されている。延出部９２ｂの外周面には、ネジ溝９２ｃが形成されている。基台部９２の台部９２ａは、吸盤３８の円錐部３８ａの内部に収まっている。本実施の形態では、大径孔２４ｂの開口縁２４ｃと円錐部３８ａの表面とが接触している。締め部９３は、八角柱の外形形状を呈している。また、その下面側の略中央には上方に向かってネジ穴９３ｂが形成されている。延出部９２ｂを締め部９３のネジ穴９３ｂに螺入させ、締め部９３を締めていくと、固定上板２２および固定下板２４がテーブル１２側に押し下げられる。具体的には、締め部９３を締めていくと、図７に示す基台部９２が上方に引き上げられる。基台部９２が引き上げられると、その引き上げに伴い円錐部３８ａも上方に引き上げられる。そして、吸盤３８とテーブル１２の間が真空状態となると共に、その真空による大気圧が基台部９２、締め部９３、固定上板２２および固定下板２４に伝わり、固定上板２２および固定下板２４を押し下げる力として作用する。その結果、固定上板２２および固定下板２４がテーブル１２側に押し下げられる。一方、締め部９３を逆方向に回転させると、固定上板２２および固定下板２４は押し下げる力から解放される。なお、本実施の形態では固定下板２４の裏側には支点用弾性体３２は取り付けられていない。
【００５６】
本実施の形態では、取付治具９０によって発音具１００がテーブル１２に取り付けられる。発音具１００は、超磁歪アクチュエータ７０と、超磁歪アクチュエータ７０から突出する可動ロッド７９の先端に取り付けられる振動板６５と、超磁歪アクチュエータ７０の上面部７８ｂの端面７８ｆに取り付けられる半球状の半球体１０１とから構成されている。半球体１０１は端面７８ｆの略中央に取り付けられている。
【００５７】
次に、取付治具９０による発音具１００の取付方法について説明する。
【００５８】
まず、発音具１００を振動板６５を下にして、テーブル１２の所定の位置に配置する。そして、固定上板２２の貫通孔３４の内側に発音具１００が収まるように取付治具９０をテーブル１２上に配置する。この際、固定用弾性体３０が発音具１００の半球体１０１と接触するようにする。次に、固定上板２２をテーブル１２に対して押圧し、吸盤３８をテーブル１２に吸着させる。次に、締め部９３のネジ穴９３ｂに延出部９２ｂを螺入させ、固定上板２２を締め部９３によって締め付ける。すると、固定上板２２が押し下げられ、その押圧力が固定用弾性体３０にも伝わり、発音具１００は固定用弾性体３０によって下方に押圧される。これにより、発音具１００は、テーブル１２に対して固定される。
【００５９】
以上のように構成された取付治具９０によって発音具１００を取り付ける場合、保持部２０によって発音具１００をテーブル１２の所定の位置に保持した状態で、当該発音具１００をテーブル１２に対して固定することが可能となる。また、発音具１００は半球体１０１を有しているため、固定用弾性体３０と半球体１０１とは点接触する。したがって、発音具１００がテーブル１２に対して傾くのを防止できる。その結果、発音具１００を安定した状態でテーブル１２に取り付けることができ、発音具１００における超磁歪素子７２の振動をテーブル１２に正確に伝達することが可能となる。
【００６０】
以上、本発明の各実施の形態について説明したが、本発明は上述の形態に限定されることなく、種々変形した形態にて実施可能である。
【００６１】
上述の各実施の形態では、固着部として吸盤３８を採用しているが、固着部は吸盤３８に限定されるものではなく、例えば、取付対象物が磁性部材等からなる場合、固着部として磁性部材を採用しても良い。また、固着部として、固着力を発揮する他の部材を採用しても良い。
【００６２】
また、上述の各実施の形態では、固定上板２２と固定下板２４の２つの板材を重ね合わせているが、これらを１つの板材で構成するようにしても良い。
【００６３】
また、上述の第１の実施の形態では、支点用弾性体３２が固定下板２４に取り付けられているが、支点用弾性体３２を取り付けないようにしても良い。また、上述の第２の実施の形態では、支点用弾性体３２が固定下板２４に取り付けられていないが、支点用弾性体３２を取り付るようにしても良い。
【００６４】
また、上述の第１の実施の形態では、レバー４７を押し下げた場合に、発音具５０がテーブル１２に固定される構成とされているが、レバー４７を引き上げた場合に、発音具５０がテーブル１２に固定される構成としても良い。
【００６５】
また、上述の各実施の形態では、発音具５０，１００のそれぞれの上端部５６ａおよび半球体１０１は半球状の形態を有しているが、これらの形状を椀形状等の他の曲面形状としても良い。
【００６６】
また、上述の第２の実施の形態では、締め部９３はキャップ状の形態を有しているが、締め部９３の形状はキャップ状の形態に限定されるものではなく、例えば、ナット状等の他の形状としても良い。
【００６７】
また、上述の第１の実施の形態では、超磁歪アクチュエータ７０は、ケース体５４の内部に螺子６６によって固定されているが、例えば、図８に示すように、ケース体５４を上ケース部５４ａと下ケース部５４ｂに２分割し、下ケース部５４ｂの底面側に全周に亘って、もしくは周方向に向かって等間隔おきに内側に延出する鍔部５４ｃを設け、下ケース部５４ｂを上ケース部５４ａに嵌め込むことで、超磁歪アクチュエータ７０に鍔部５４ｃを当接させて該超磁歪アクチュエータ７０を開口空間部５８内に保持するようにしても良い。この場合、仕切部６２と超磁歪アクチュエータ７０との間にゴム材６４が介在されているため、超磁歪アクチュエータ７０はゴム材６４から適度な反発力を受けた状態で開口空間部５８内に保持される。上ケース部５４ａと下ケース部５４ｂの固定は、図８に示すように、上ケース部５４ａの内側に上方に向かって段差を有する段差部５４ｄを設けると共に、下ケース部５４ｂに上方に突出する突出部５４ｅを設け、両者の接触面にネジ溝を設けて上ケース部５４ａと下ケース部５４ｂを螺合させることにより行うことができる。また、両者の接触面にネジ溝を設けることなく、上ケース部５４ａと下ケース部５４ｂを嵌合固定するようにしても良い。
【産業上の利用可能性】
【００６８】
本発明の発音具の取付治具および取付治具を備えた発音具は、音響機器等の各種電気機器を提供する産業において利用することができる。
【図面の簡単な説明】
【００６９】
【図１】本発明の第１の実施の形態に係る取付治具によって発音具を取り付けた状態を示す斜視図である。
【図２】本発明の第１の実施の形態に係る取付治具によって発音具を取り付けた状態を示す側面図である。
【図３】本発明の第１の実施の形態に係る取付治具によって発音具を取り付けた状態における取付治具の側断面図である。
【図４】本発明の第１の実施の形態に係る取付治具によって取り付けられる発音具の側断面図である。
【図５】図４中の発音具に使用される超磁歪アクチュエータの側断面図である。
【図６】本発明の第２の実施の形態に係る取付治具によって発音具を取り付けた状態を示す斜視図である。
【図７】本発明の第２の実施の形態に係る取付治具によって発音具を取り付けた状態における取付治具の側断面図である。
【図８】本発明の変形例を示す図であり、ケース体を２分割した場合の発音具の側断面図である。
【符号の説明】
【００７０】
１０，９０…発音具の取付治具
１２…テーブル（取付対象物）
２０…保持部
２２…固定上板（平板部の一部）
２４…固定下板（平板部の一部）
２４ｂ…大径孔（挿通孔の一部）
３０…固定用弾性体（支持部）
３２…支点用弾性体
３４…貫通孔
３６…矩形孔（挿通孔の一部）
３８…吸盤（固着部）
４５，９１…ロック部
４６…支柱（基台部）
４７…レバー（押圧部）
４７ｅ…下端面（押込部）
５０，１００…発音具
５６ａ…上端部（曲面部）
７０…超磁歪アクチュエータ
７２…超磁歪素子
７４…コイル
７６，７７…磁石
７８…ケース
９２…基台部
９２ｂ…延出部
９３…締め部（押圧部）
１０１…半球体（曲面部）
【図１】
2009130408.tif 000003
【図２】
2009130408.tif 000004
【図３】
2009130408.tif 000005
【図４】
2009130408.tif 000006
【図５】
2009130408.tif 000007
【図６】
2009130408.tif 000008
【図７】
2009130408.tif 000009
【図８】
2009130408.tif 000010